【手続補正書】
【提出日】平成20年1月8日(2008.1.8)
【手続補正１】
【補正対象書類名】明細書
【補正対象項目名】００１２
【補正方法】変更
【補正の内容】
【００１２】
本発明によれば、可撓性があり形状が容易に変化する基材を用いても、記録層の厚みのムラや経時変化が少なくなり、安定した画像表示が可能となる。また、形状加工のしやすいフィルム基材を用いることができるため、ホログラム記録媒体として大面積化が可能となる。さらに、記録層の構成材料が流動性のある軟らかい材料であってもホログラム記録媒体を作製することができるため、該記録層の構成材料の選択肢が広がる。とくに、感度の高い構成材料を用いることができるため、露光時の光量が少なくて済み、記録時間の短縮が可能となる。
また、記録層の経時劣化を防ぐとともに、良好な記録特性を維持することができる。
【手続補正２】
【補正対象書類名】明細書
【補正対象項目名】００１８
【補正方法】変更
【補正の内容】
【００１８】
図１に、本発明に係るホログラム記録媒体の第１の実施の形態を示す。
図１に示すように、ホログラム記録媒体１０は、下部透明基材１１、光硬化性有機材料からなる記録層１２、上部透明基材１３とが積層されており、記録層１２内部に、該記録層１２の厚みを維持するスペーサの一態様である微小粒子１４が当該ホログラム記録媒体１０主面方向に分散配置されている。また、下部透明基材１１は、記録層１２に面する側の面に記録層１２の劣化を防止する第１の保護層１１ａを備え、記録層１２とは反対側の面に該下部透明基材１１の損傷を防止する第２の保護層１１ｂを備えている。また、上部透明基材１３は、記録層１２に面する側の面に記録層１２の劣化を防止する第１の保護層１３ａを備え、記録層１２とは反対側の面に該上部透明基材１３の損傷を防止する第２の保護層１３ｂを備えている。
【手続補正３】
【補正対象書類名】明細書
【補正対象項目名】００２８
【補正方法】変更
【補正の内容】
【００２８】
なお、微小粒子１４が記録層１２の主面領域（表示画面領域）において占める面積率が１３％以下であることが好ましい。微小粒子１４の存在により記録層１２再生時の回折光の強度（シグナル量）が減少するが、この面積占有率が１３％以下であるとシグナル量の減少分が１５％程度までに抑えられ、表示画像の画質の劣化が許容できる範囲のものとなるからである。なお、微小粒子１４の前記面積占有率が０．１％でも本発明の効果が得られる。
【手続補正４】
【補正対象書類名】明細書
【補正対象項目名】００３０
【補正方法】変更
【補正の内容】
【００３０】
微小粒子１４（屈折率ｎ１）と、記録層１２（屈折率ｎ２）との屈折率差が２０％以下であると、以下のフレネルの反射の公式から、微小粒子１４で反射する光の反射率Ｒが、ｎ１＞ｎ２，ｎ２＞ｎ１双方の場合でも１％程度以下となり、その影響が無視できるようになるからである。
Ｒ＝｜(ｎ２−ｎ１) ／ (ｎ１＋ｎ２) ｜ ＾２      ・・・（１）
【手続補正５】
【補正対象書類名】明細書
【補正対象項目名】００３２
【補正方法】変更
【補正の内容】
【００３２】
また、微小粒子１４の記録層１２の厚み方向における長さのばらつきは１０％以下であることが好ましい。これにより、記録層１２の厚みのムラや経時変化を十分に抑制することができる。
【手続補正６】
【補正対象書類名】明細書
【補正対象項目名】００３６
【補正方法】変更
【補正の内容】
【００３６】
第２の保護層１１ｂ，１３ｂは、疵などによりホログラム記録媒体１０が損傷することを防止することを目的とする保護層であり、例えばアクリルモノマー、無機・有機ポリマー、光重合開始剤、表面張力を調整する添加剤を含んだ溶液を基材上に塗布し、紫外線硬化されてなるアクリル系ハードコート剤などが挙げられる。
【手続補正７】
【補正対象書類名】明細書
【補正対象項目名】００３７
【補正方法】変更
【補正の内容】
【００３７】
以上の構成のホログラム記録媒体１０により、可撓性があり形状が容易に変化する下部透明基材１１，上部透明基材１３を用いても、記録層１２の厚みのムラや経時変化が少なくなり、安定した画像表示が可能となる。また、形状加工のしやすいフィルム基材を用いることができるため、ホログラム記録媒体として例えばＡ０サイズ（縦８４１ｍｍ×横１１８９ｍｍ）の大面積化が可能となる。さらに、記録層１２の構成材料が流動性のある軟らかい材料であってもホログラム記録媒体を作製することができ、とくに、感度の高い構成材料を用いることができるため、露光時の光量が少なくて済み、記録時間の短縮が可能となる。
【手続補正８】
【補正対象書類名】明細書
【補正対象項目名】００３８
【補正方法】変更
【補正の内容】
【００３８】
また、本実施の形態のホログラム記録媒体のバリエーションとして、図２、図３の構成のものがある。
すなわち、図２に示すホログラム記録媒体１０Ａは、図１における第２の保護層１１ｂ、１３ｂを省略した構成のものである。また、図３に示すホログラム記録媒体１０Ｂは、図１における第１の保護層１１ａ，１３ａ及び第２の保護層１１ｂ、１３ｂを省略した構成のものである。いずれの構成のホログラム記録媒体であっても、前記ホログラム記録媒体１０と同様に本発明の効果が得られる。
【手続補正９】
【補正対象書類名】明細書
【補正対象項目名】００３９
【補正方法】変更
【補正の内容】
【００３９】
ここで、第１の実施の形態のホログラム記録媒体１０は例えばつぎのように製造するとよい。
（Ｓ１１）まず下部透明基材１１、上部透明基材１３それぞれの一方の主面上に第１の保護層１１ａ，１３ａを形成し、ついで第１の保護層１１ａ，１３ａ形成面とは反対面上に第２の保護層１１ｂ、１３ｂを形成しておく。
（Ｓ１２）つぎに、下部透明基材１１の第１の保護層１１ａ上に、微小粒子１４が内部に分散された光硬化性有機材料からなる層（記録層１２）を設ける。詳しくは、光硬化性有機材料を溶媒に溶かしたものと微小粒子１４を混合したものを下部透明基材１１の第１の保護層１１ａ上にバーコータ、スピンコート、吹き付けなどにより塗布し、熱処理により溶媒を揮散させて記録層１２を形成する。この際、第１の保護層１１ａに対して、記録層形成時のみに必要な機能、溶解性の調整や表面エネルギーを高める手法を適宜施してもよい。
（Ｓ１３）ついで、記録層１２露出面に上部透明基材１３を貼り合わせる。具体的には、記録層１２露出面に上部透明基材１３の第１の保護層１３ａを当接させてラミネート処理を行う。
（Ｓ１４）ついで、対象物の端部（第２の保護層１１ｂ、下部透明基材１１、第１の保護層１１ａ、記録層１２、第１の保護層１３ａ、上部透明基材１３、第２の保護層１３ｂ）を切断し、所定寸法のホログラム記録媒体１０を完成する。
【手続補正１０】
【補正対象書類名】明細書
【補正対象項目名】００４０
【補正方法】変更
【補正の内容】
【００４０】
図４に、本発明に係るホログラム記録媒体の第２の実施の形態を示す。
図４に示すように、ホログラム記録媒体２０は、下部透明基材１１、光硬化性有機材料からなる記録層１２、上部透明基材１３とが積層されており、記録層１２内部に、該記録層１２の厚みを維持するスペーサの一態様である突起物が当該ホログラム記録媒体２０主面方向に分散配置されている。詳しくは、微小粒子１４が下部透明基材１１の接着層１１ｃに固定された状態で突起物となって当該ホログラム記録媒体２０主面方向に分散配置されており、基材支持構造として機能している。
【手続補正１１】
【補正対象書類名】明細書
【補正対象項目名】００４８
【補正方法】変更
【補正の内容】
【００４８】
図７に、本発明に係るホログラム記録媒体の第３の実施の形態を示す。
図７に示すように、ホログラム記録媒体３０は、下部透明基材１１、光硬化性有機材料からなる記録層１２、上部透明基材１３とが積層されており、記録層１２内部に、該記録層１２の厚みを維持するスペーサの一態様である突起物が当該ホログラム記録媒体３０主面方向に分散配置されている。詳しくは、下部透明基材１１の表面が凹凸加工させてなる突起物３１ａが当該ホログラム記録媒体３０主面方向に分散配置されており、基材支持構造として機能している。
【手続補正１２】
【補正対象書類名】明細書
【補正対象項目名】００５４
【補正方法】変更
【補正の内容】
【００５４】
また、突起物３１ａと記録層１２（光硬化性有機材料）との屈折率差が２０％以内であることが好ましい。さらに、突起物３１ａの記録層１２厚み方向の長さ（突起高さ）のばらつきが１０％以下であることが好ましい。また、突起物３１ａは、記録層１２中で部分的に偏って集合することなくできるだけ均一に分散して配置されていることが望ましい。
【手続補正１３】
【補正対象書類名】明細書
【補正対象項目名】００５５
【補正方法】変更
【補正の内容】
【００５５】
以上の構成のホログラム記録媒体３０によっても、ホログラム記録媒体１０と同様に、可撓性があり形状が容易に変化する下部透明基材１１，上部透明基材１３を用いても、記録層１２の厚みのムラや経時変化が少なくなり、安定した画像表示が可能となる。また、形状加工のしやすいフィルム基材を用いることができるため、ホログラム記録媒体として例えばＡ０サイズ（縦８４１ｍｍ×横１１８９ｍｍ）の大面積化が可能となる。さらに、記録層１２の構成材料が流動性のある軟らかい材料であってもホログラム記録媒体を作製することができ、とくに、感度の高い構成材料を用いることができるため、露光時の光量が少なくて済み、記録時間の短縮が可能となる。
【手続補正１４】
【補正対象書類名】明細書
【補正対象項目名】００５７
【補正方法】変更
【補正の内容】
【００５７】
ここで、第３の実施の形態のホログラム記録媒体３０は例えばつぎのように製造するとよい。
（Ｓ３１）まず下部透明基材１１について、物理的切削などにより突起物３１ａを形成する。
（Ｓ３２）つぎに、下部透明基材１１の突起物３１ａ形成面上に、光硬化性有機材料からなる層（記録層１２）を設ける。詳しくは、光硬化性有機材料を溶媒に溶かしたものを下部透明基板１１の突起物３１ａが形成された面上にバーコータ、スピンコート、吹き付けなどにより塗布し、熱処理により溶媒を揮散させて記録層１２を形成する。
（Ｓ３３）ついで、記録層１２露出面に上部透明基材１３を貼り合わせる。具体的には、記録層１２露出面に上部透明基材１３の主面を当接させてラミネート処理を行う。
（Ｓ３４）ついで、対象物の端部（下部透明基材１１、記録層１２、上部透明基材１３）を切断し、所定寸法のホログラム記録媒体３０を完成する。
【手続補正１５】
【補正対象書類名】明細書
【補正対象項目名】００５８
【補正方法】変更
【補正の内容】
【００５８】
以上の本発明のホログラム記録媒体は、所定の露光光学系を用いて、ステレオホログラムが記録される。
図９にその露光光学系の例を示す。
図９に示すように、露光光学系は、所定の波長のレーザ光を出射するレーザ光源５１と、レーザ光源５１からのレーザ光Ｌ１の光軸上に配されたシャッタ５２及びハーフミラー５３とを備えている。
【手続補正１６】
【補正対象書類名】明細書
【補正対象項目名】００６０
【補正方法】変更
【補正の内容】
【００６０】
ハーフミラー５３は、シャッタ５２を通過してきたレーザ光Ｌ１を、参照光と物体光とに分離するためのものであり、ハーフミラー５３によって反射された光Ｌ２が参照光となり、ハーフミラー５３を透過した光Ｌ３が物体光となる。
【手続補正１７】
【補正対象書類名】明細書
【補正対象項目名】００６１
【補正方法】変更
【補正の内容】
【００６１】
ハーフミラー５３によって反射された光Ｌ２の光軸上には、参照光用の光学系として、シリンドリカルレンズ５５と、参照光を平行光とするためのコリメータレンズ５６と、コリメータレンズ５６からの平行光を反射する全反射ミラー５７とが、それぞれ配置されている。
【手続補正１８】
【補正対象書類名】図面
【補正対象項目名】図６
【補正方法】変更
【補正の内容】
【図６】
2007233143.tif 000001